(57)【要約】      （修正有）【課題】栽培溶液が無駄とならず、建物の床面が汚れず、不潔にならない小型栽培装置を提供する。【解決手段】建物の一部の床面Ｆに、複数の脚部１１の下面１１ａを接地面として載置される枠体１０と、枠体１０に上載され、内部に、植物Ｐを栽培するための培養土Ｓを、直接あるいは間接に収納し、底壁の一部に、肥料を含んだ栽培溶液Ｌが注出される注出開口部を有する栽培容器２０と、枠体１０の内部において、栽培容器２０の注出開口部の直下に設けられる溶液容器３０と、溶液容器３０の内部に溜まった栽培溶液Ｌを汲み上げ、栽培容器２０の内部に収納した培養土Ｓに灌水する灌水ポンプ４０とで構成する。【選択図】図１
0003168859.tif 000002
【実用新案登録請求の範囲】
【請求項１】
ベランダなどの建物の一部において植物（Ｐ）を栽培することのできる栽培装置であって、前記建物の一部の床面（Ｆ）に，複数の脚部（１１）の下面（１１ａ）を接地面として載置される枠体（１０）と、前記枠体に上載され，内部に，前記植物を栽培するための培養土（Ｓ）を，直接あるいは間接に収納し，底壁（２１）の一部に，肥料を含んだ栽培溶液（Ｌ）が注出される注出開口部（２２）を有する栽培容器（２０）と、前記枠体の内部において，前記栽培容器の注出開口部の直下に設けられる溶液容器（３０）と、前記溶液容器の内部に溜まった前記栽培溶液を汲み上げ，前記栽培容器の内部に収納した培養土に灌水する灌水ポンプ（４０）と、を備えることを特徴とする小型栽培装置。
【請求項２】
ベランダなどの建物の一部において植物（Ｐ）を栽培することのできる栽培装置であって、前記建物の一部の床面（Ｆ）に，複数の脚部（１１）の下面（１１ａ）を接地面として載置される枠体（１０）と、前記枠体に上載され，内部に，前記植物を栽培するための培養土（Ｓ）を，内容器を介して間接に収納し，底壁の一部に，肥料を含んだ栽培溶液（Ｌ）が注出される注出開口部（２２）を有する栽培容器（２０）と、前記枠体の内部において，前記栽培容器の注出開口部の直下に設けられる溶液容器（３０）と、前記溶液容器の内部に溜まった前記栽培溶液を汲み上げ，前記栽培容器の内部に収納した培養土に灌水する灌水ポンプ（４０）と、を備え、前記栽培容器の底壁に，複数のガイド壁（２３）を左右方向に設けたことを特徴とする小型栽培装置。
【考案の詳細な説明】
【技術分野】
【０００１】
本考案は、家庭のベランダやビルの屋上などの建物の一部において植物を栽培することのできる小型の栽培装置に関するものである。
【背景技術】
【０００２】
近年、家庭のベランダやビルの屋上などをはじめとする建物の一部において、いわゆる家庭菜園として野菜や花などの植物が多く栽培されている。
【０００３】
こうした建物の一部における植物の栽培は、ベランダなどの床面に、底面に複数の開口部を有する栽培容器を置き、この栽培容器の内部に培養土を収納し、この培養土に植物の種子を播くなどして行われている。そして、培養土に肥料を含んだ栽培溶液Ｌを灌水している。
【０００４】
なお、家庭菜園を行うための容器としては、例えば特許文献１に記載のものがある。
【先行技術文献】
【特許文献】
【０００５】
【特許文献１】特開２００９−０３９０６３号公報
【考案の概要】
【考案が解決しようとする課題】
【０００６】
上記した従来の栽培容器においては、培養土に潅水された栽培溶液のうち、余剰の栽培溶液が栽培容器の底面の開口部からベランダの床面に流出し、そのまま下水道に送られ廃棄されている。従って、次のような問題が発生する。
【０００７】
（甲）余剰の栽培溶液を廃棄するので、栽培溶液が無駄となる。（乙）余剰の栽培溶液が開口部からベランダ等の床面に流出するので、床面が汚れる。（丙）栽培容器の底面がベランダの床面に接触するので、当該底面と床面との間に雑菌や虫が繁殖し、床面が不潔となる。
【０００８】
本考案はこうした問題に鑑み創案されたもので、栽培溶液が無駄とならず、建物の床面が汚れず、不潔にならない小型栽培装置を提供することを課題とする。
【課題を解決するための手段】
【０００９】
図１乃至図７を参照して説明する。請求項１に記載の小型栽培装置１は、ベランダなど（バルコニーやテラスを含む）の建物の一部において植物Ｐを栽培することのできるものであり、前記建物の一部の床面Ｆに、複数の脚部１１の下面１１ａを接地面として載置される枠体１０と、前記枠体１０に上載され、内部に、前記植物Ｐを栽培するための培養土Ｓを、直接あるいは間接に収納し、底壁２１の一部に、肥料を含んだ栽培溶液Ｌが注出される注出開口部２２を有する栽培容器２０と、前記枠体１０の内部において、前記栽培容器２０の注出開口部２２の直下に設けられる溶液容器３０と、前記溶液容器３０の内部に溜まった前記栽培溶液Ｌを汲み上げ、前記栽培容器２０の内部に収納した培養土Ｓに灌水する灌水ポンプ４０と、を備えるものである。
【００１０】
請求項２に記載の小型栽培装置１は、ベランダなどの建物の一部において植物Ｐを栽培することのできるものであり、前記建物の一部の床面Ｆに、複数の脚部１１の下面１１ａを接地面として載置される枠体１０と、前記枠体１０に上載され、内部に、前記植物Ｐを栽培するための培養土Ｓを、内容器５０を介して間接に収納し、底壁２１の一部に、肥料を含んだ栽培溶液Ｌが注出される注出開口部２２を有する栽培容器２０と、前記枠体１０の内部において、前記栽培容器２０の注出開口部２２の直下に設けられる溶液容器３０と、前記溶液容器３０の内部に溜まった前記栽培溶液Ｌを汲み上げ、前記栽培容器２０の内部に収納した培養土Ｓに灌水する灌水ポンプ４０と、を備える。また、前記栽培容器２０の底壁２１に、複数のガイド壁２３を左右方向に設けている。
【考案の効果】
【００１１】
請求項１に記載の小型栽培装置１は、栽培容器２０の一部に注出開口部２２を形成し、その注出開口部２２の直下に溶液容器３０を設けているので、栽培溶液Ｌが無駄にならない。また、同様の理由で、栽培溶液Ｌが床面Ｆに流出しないので、建物が汚れない。
【００１２】
さらに、栽培容器２０と床面Ｆとの間には、複数の脚部１１の下面１１ａを接地面とする枠体１０が介在しているので、栽培容器２０と床面Ｆとの間には大きな空間Ｒが形成される。これにより、その空間Ｒ（小型栽培装置１と床面Ｆとの間）に雑菌や虫が繁殖せず、床面Ｆを清潔に保つことができる。また、これに伴い、栽培容器２０の下面から、培養土Ｓに雑菌が侵入するのを未然に防止することができる。
【００１３】
請求項２に記載の小型栽培容器は、請求項１に記載の考案と同様の効果を発揮する。また、栽培容器２０の内部に、植物Ｐを栽培するための培養土Ｓを、内容器５０を介して間接に収納すると共に、栽培容器２０の底壁２１に、複数のガイド壁２３を左右方向に設けているので、内容器５０と栽培容器２０の底壁２１との間に隙間Ｇを形成することができる。
【００１４】
これにより、内容器５０の孔部５１から注出される余剰の栽培溶液Ｌを、ガイド壁２３に沿って注出開口部２２に円滑に案内し、そこから溶液容器３０に滴下させることができる。従って、栽培溶液Ｌを、より無駄なく使用することができる。
【図面の簡単な説明】
【００１５】
【図１】本考案に係る小型栽培装置の実施形態を示す正面図である。
【図２】図１に示す小型栽培装置の平面図である。
【図３】図１に示す小型栽培装置の栽培容器および内容器を示す一部切欠正面図である。
【図４】図１に示す小型栽培装置の栽培容器および内容器を示す一部断面平面図である。
【図５】本考案に係る小型栽培装置の他の実施形態を示すもので、栽培容器の一部断面正面図である（図６のＡ−Ａ線断面）。
【図６】図５に示す栽培容器の平面図である。
【図７】図６のＢ−Ｂ線断面図である。
【考案を実施するための最良の形態】
【００１６】
本考案に係る小型栽培装置１の実施形態を、図１乃至図４に示す。この小型栽培装置１は、建物（一般家屋）の一部であるベランダ（バルコニーやテラスを含む）において植物Ｐを栽培するためのものであり、枠体１０、栽培容器２０、溶液容器３０、および灌水ポンプ４０を備える。これらの部材は、それぞれが別体成形された後、組み合わされて使用されるものである。栽培する植物Ｐは限定されないが、家庭菜園としては、分葱、カギチシャ、新菊、小松菜などを栽培することができる。
【００１７】
枠体１０は、木製であり、ベランダの床面Ｆに、四本の脚部１１の下面１１ａを接地面として載置される平面矩形状である。この枠体１０は、四本の脚部１１のうち、二本の脚部１１の上部と下部のそれぞれを、左右方向に平行に架設された長尺状の上部長尺板１２（二本）および下部長尺板１３（二本）と、対向位置する上部長尺板１２，１２間および下部長尺板１３，１３間にそれぞれ架設する短尺状の上部短尺板１４（三本）および下部短尺板１５（二本）とを備える。この枠体１０は、高さ４０ｃｍ程度、左右方向の長さ６０ｃｍ程度、前後方向の長さ３０ｃｍ程度に設定されているが、これらの寸法は限定されない。
【００１８】
栽培容器２０は、肉薄（１ｍｍ程度）の金属製であり、枠体１０の上部長尺板１２と上部短尺板１４の上面に載置される。栽培容器２０の内部には、植物Ｐを栽培するための培養土（ピートモス）Ｓを、二つの内容器５０を介して間接に収納している。すなわち、培養土Ｓを貯えた樹脂製の内容器５０を、栽培容器２０に収納している。この内容器５０の底面には複数の孔部５１が形成されている。栽培容器２０の底壁２１の一方端部には、肥料を含んだ栽培溶液Ｌが注出される注出開口部２２が、その全副にわたって形成されている。なお、培養土Ｓと内容器５０の底面との間には、網状の不織布を配置して栽培に必要な保湿性と透水性を確保している。
【００１９】
溶液容器３０は、枠体１０の内部において、栽培容器２０に形成された注出開口部２２の直下に設けられている。この溶液容器３０は、上面が開放された箱状である。この上面には蓋を設けることができる。
【００２０】
灌水ポンプ４０は、間歇的に作動するもので、溶液容器３０の内部に溜まった栽培溶液Ｌを汲み上げ、栽培容器２０の内部に、内容器５０を介して収納した培養土Ｓに灌水するものである。この灌水ポンプ４０としては、電動ポンプや手動ポンプを使用することができる。また、この灌水ポンプ４０は、溶液容器３０の内部に設けて、給水ホース４２で潅水するものであっても良いし、溶液容器３０の外部に設けて、吸上げホース４１と給水ホース４２によって潅水するものであっても良い。
【００２１】
本実施形態に係る小型栽培装置１は、次のようにして使用することができる。まず、枠体１０の上に栽培容器２０を載せる。次に、この栽培養器に、培養土Ｓを収納した内容器５０を入れる（あるいは、栽培容器２０に内容器５０を入れた後、その内容器５０に培養土Ｓを投入する）。続いて、植物Ｐの種子を培養土Ｓに播いた後、肥料を含んだ栽培溶液Ｌを、培養土Ｓに灌水する。
【００２２】
灌水された栽培溶液Ｌは培養土Ｓに吸収され、余剰の栽培溶液Ｌが内容器５０の孔部５１を通過した後、栽培容器２０の注出開口部２２から滴下して溶液容器３０に溜まる。栽培溶液Ｌは、定期的に培養土Ｓに灌水され、その都度、余剰の栽培溶液Ｌが溶液容器３０に溜まる。適量の栽培溶液Ｌが溶液容器３０に溜まると、その栽培溶液Ｌを、灌水ポンプ４０によって培養土Ｓに灌水する。
【００２３】
このように、本実施形態に係る小型栽培装置１は、栽培容器２０の一部に注出開口部２２を形成し、その注出開口部２２から滴下した養生の栽培溶液Ｌを、注出開口部２２の直下に設けて灌水容器に溜めた後、灌水ポンプ４０によって培養土Ｓに灌水する。従って、栽培溶液Ｌを繰り返し使用することができるので、栽培溶液Ｌが無駄にならない。
【００２４】
また、溶液容器３０を設けているので栽培溶液Ｌが床面Ｆに流出せず、従ってベランダの床面Ｆが汚れない。さらに、栽培容器２０と床面Ｆとの間には、複数の脚部１１の下面１１ａを接地面とする枠体１０が介在しているので、栽培容器２０と床面Ｆとの間には必然的に大きな空間Ｒが形成される。従って、小型栽培装置１と床面Ｆとの間には雑菌や虫が繁殖せず、その結果、床面Ｆを清潔に保つことができる。また、これにより、栽培容器２０の下面から雑菌が侵入するのを防止することができる。
【００２５】
なお、本考案に係る栽培容器２０の底壁２１には、図５乃至図７に示すように、複数のガイド壁２３を左右方向に向けて設けることができる。このガイド壁２３によって、余剰の栽培容器２０を、より正確に注出開口部２２に案内することができる。
【００２６】
また、ガイド壁２３を設けることによって、内容器５０と栽培容器２０の底壁２１との間に隙間Ｇを形成して、余剰の栽培溶液Ｌが通過できる通路を形成することができる。従って、余剰の栽培溶液Ｌを、より円滑に注出開口部２２に案内することができる。なお、このガイド壁２３は、底壁２１に一体成形することもできるし、また、別体成形して底壁２１に取付けることもできる。
【００２７】
なお、栽培容器２０の底壁２１は、注出開口部２２に向けて下降傾斜させることができる。これにより、余剰の栽培溶液Ｌを、より円滑に注出開口部２２から溶液容器３０に滴下させることができる。
【００２８】
さらに、上記実施形態においては、栽培容器２０に、内容器５０を介して培養土Ｓを間接的に収納しているが、本考案はこれに限定されるものではなく、内容器５０を使用しないで、栽培容器２０に培養土Ｓを直接、収納することもできる。
【００２９】
なお、上記実施形態に係る小型栽培装置１には、上記の効果に加えて、次のような特徴がある。
（イ）培養土Ｓを再度使用できる。この培養土Ｓには雑菌が侵入し難く、よって、雑菌処理をすることなく、続けて、次の栽培に使用できるからである。
（ロ）少量の培養土Ｓであるために軽量となる。この小型栽培装置１はベランダ等で使用するものであり、自ずとその大きさは限られているからである。
（ハ）高層ビルでも設置が可能である。一般家庭のベランダのみでなく、高層ビルの屋上などに設けることができる。こうすることで、夏場において、高層ビルの冷却効果を促進することができる。
（ニ）栄養補給が簡単なため、バランスの良い生育が期待できる。栽培容器２０に溜めた余剰の栽培溶液Ｌを、灌水ポンプ４０によって容易に灌水することができるからである。
（ホ）収穫後の整理も簡単である。枠体１０、栽培容器２０、溶液容器３０および灌水ポンプ４０は、それぞれ別体物であるため、例えば、栽培を行わない時期では、それぞれを分離した状態で小さいスペースに収納できるからである。
【符号の説明】
【００３０】
１        小型栽培装置
１０      枠体
１１      脚部
１１ａ    下面
１２      上部長尺板
１３      下部長尺板
１４      上部短尺板
１５      下部短尺板
２０      栽培容器
２１      底壁
２２      注出開口部
２３      ガイド壁
３０      溶液容器
４０      灌水ポンプ
４１      吸上げホース
４２      給水ホース
５０      内容器
５１      孔部
Ｆ        床面
Ｇ        隙間
Ｐ        植物
Ｒ        空間
Ｓ        培養土
Ｌ        栽培溶液
【図１】
0003168859.tif 000003
【図２】
0003168859.tif 000004
【図３】
0003168859.tif 000005
【図４】
0003168859.tif 000006
【図５】
0003168859.tif 000007
【図６】
0003168859.tif 000008
【図７】
0003168859.tif 000009